(57)【要約】【課題】小規模な装置で高い臨場感を得ることができる補助表示装置および映像表示システムを提供する。【解決手段】映像鑑賞者の正面に位置する映像装置と同時に用いる補助表示装置であって、１対の液晶表示機等の小型軽量な画像表示手段を、頭部に装着する支持フレームで、両眼外側の視野端部位置に各々配置し、さらに前記画像表示手段を、映像装置よりも解像度が低くし、そして、映像鑑賞者の正面に位置する映像装置と連動して補助表示装置に画像を表示する。本補助表示装置によって、映像鑑賞者の正面の映像装置だけでなく、周辺視野にも映像装置と連動した画像を認識させることができるので、主画面の世界が視界いっぱいに広がったような高い臨場感を、家庭に持ち込むことができる簡易な装置で得ることができる。【選択図】図１
2011041073.tif 000002
【特許請求の範囲】
【請求項１】
映像鑑賞者の正面に位置する映像装置と同時に用いる補助表示装置であって、
少なくとも１対の画像表示手段を、頭部に装着する支持フレームで、両眼外側の視野端部位置に各々配置したことを特徴とする補助表示装置。
【請求項２】
画像表示手段を、頭部に装着する支持フレームで両眼外側の視野端部位置に各々配置した補助表示装置と、
鑑賞者の正面に位置する映像装置と、
で構成され、該表示手段が該映像装置よりも解像度が低く、該映像装置に表示される映像と連動して、該画像表示手段の画像を制御する映像システム。
【発明の詳細な説明】
【技術分野】
【０００１】
本発明は、映像鑑賞者の周辺視界に映像装置と連動して、画像を表示する表示装置に関する。
【背景技術】
【０００２】
近年、液晶テレビやプラズマテレビなどの大型映像装置が一般家庭にも普及し、映像装置の大型化に伴って、よりいっそう高い臨場感が求められている。
【０００３】
従来、映像鑑賞者の周囲に配置した複数のスピーカから音響を発し、映像に連動して、鑑賞者の後方に物音を発するなど、あたかも画像の中に鑑賞者がいるように臨場感を高める工夫がされている。
【０００４】
また、音響だけではなく、映像装置を設置した部屋の照明を映像に連動して制御し、いっそう臨場感を高める工夫が行われており、下記の特許文献１には、複数の照明を画像に連動して制御する方法が示されている。
【０００５】
一方、特許文献２には鑑賞者を包み込む、球状スクリーンに画像を表示する方法が示されている。
【先行技術文献】
【特許文献】
【０００６】
【特許文献１】特開２０００−１７３７８３
【０００７】
【特許文献２】特開２００６−０９８５７４
【発明の概要】
【発明が解決しようとする課題】
【０００８】
上記特許文献１では、家庭に設置する設備を想定して、照明装置の色彩を制御することで臨場感高めることを狙っている。
【０００９】
しかし、人の視野角は片眼で１６０度、両眼で２００度程度と言われており、視野中央以外の周辺の視野においても現実の世界では像を認識しており、特許文献１に示されるように、複数に分割した照明だけで映像周辺の視野を埋めても、十分な臨場感を得られなかった。
【００１０】
一方特許文献２には全視界を覆う球状スクリーンが示されているが、球状のスクリーン全て解像度の高い映像を投影するため大規模な設備が必要であり、このような大掛かりな設備を家庭に持ち込むことは困難であった。
【００１１】
本発明は、上記の問題点に鑑みてなされたものであり、小規模な装置で高い臨場感を提供することを目的としている。
【課題を解決するための手段】
【００１２】
上記課題を解決するために本発明の補助表示装置は、画像表示手段を、頭部に装着する支持フレームで、両眼外側の視野端部位置に各々配置したことを特徴としている。
【００１３】
さらに画像表示手段を、頭部に装着する支持フレームで両眼外側の視野端部位置に各々配置した表示手段と、映像装置とで構成され、該表示手段が該映像装置よりも解像度が低く、映像装置に表示される映像と連動して、該画像表示手段の画像を制御することを特徴としている。
【００１４】
人間の視野は上下方向より左右方向に広がっており、両眼の中心部の解像度は高いが、周辺の解像度は中央部と比べて低い。
【００１５】
しかしながら周辺の視野も、動きのあるものや光の移動や変化に対してはよく認識でき、例えば、夜間に側面から自動車のヘッドライトが近づいてくる様子を捉えており、ま
た雑踏のなかにあっては周辺の視野で人が動く様子を捉えるなど、日常の生活の中で周辺
の視野による認識をおこなっている。
【００１６】
上記補助表示装置によれば、鑑賞者の両眼外側の視野端部位置に表示手段を配置することで、小規模な装置で周辺の視野に画像を表示することができ、さらに上記表示システムでは、主画面を表示する映像手段と連動して、映像手段より解像度が低い該表示手段の画像を制御することで、より簡易な表示システムで、日常の体験と同様の周辺の視野による認識が可能になり、高い臨場感を得ることができる。
【発明の効果】
【００１７】
本発明の補助表示装置および映像表示システムによれば、小規模な装置で高い臨場感を得ることができる。
【図面の簡単な説明】
【００１８】
【図１】本発明の補助表示装置の一実施形態の概略図である。
【図２】本発明の補助表示装置の装着状態を側面から見た図である。
【図３】本発明の補助表示装置の装着状態を上面から見た図である。
【図４】本発明の映像表示システムの構成を示す概略図である。
【発明を実施するための形態】
【００１９】
以下本発明の実施の形態を図１〜４に基づき説明する。
【００２０】
本発明の補助表示装置は、頭部支持フレーム１で左画像表示手段支持部１３と右画像表示手段支持部２３を連結し、左画像表示手段支持部１３と右画像表示手段支持部２３には夫々左画像表示手段１４と右画像表示手段２４が接続されている。
【００２１】
左画像表示手段支持部１３と右画像表示手段支持部２３には、夫々耳部切欠き１２が設けられており、図２に示すように、頭部に装着する。
【００２２】
図３は本発明の補助表示装置の装着状態を上面から見た図であり、左画像表示手段１４と右画像表示手段２４は、左目視野４１の顔面側部および右目視野４２の顔面側部に対応する
位置に夫々配置されている。
【００２３】
左画像表示手段１４と右画像表示手段２４は小型で軽量な液晶や有機ＥＬを用いた表示手段を用いるとよい。
【００２４】
尚、頭部支持フレーム１の形態は、本実施例のみの形態に限定されるものではなく、帽子のように頭部全体を覆う形式でもよく、また、耳部切欠１２にはスピーカを設けてヘッドホンとして音声を再生するようにしても良い。
【００２５】
次に、本映像表示システムを図４に基づき説明する。
【００２６】
映像装置３１と再生装置３２がケーブル３３で接続され、再生装置３２で再生される映像信号を映像装置３１で表示する。
【００２７】
映像装置３１には、液晶を用いた大型テレビや、プロジェクタでスクリーンに映像を投影する装置を用いるとよい。
【００２８】
再生装置３２にはケーブル３４で画像制御装置３５が接続されており、画像制御装置３５は左表示手段１４と右表示手段２４に接続されており、再生装置３２の信号を、左表示手段１４と右表示手段２４に表示する画像信号に加工し、中継する。
【００２９】
例えば従来の一つの映像装置のみで鑑賞することを前提で製作された映画を鑑賞する場合、映像装置３１は映画の画面を主画面としてそのまま表示する。そして、画像制御装置３５で、主画面の両端部のみを切り取って解像度を下げた画像信号に加工し、左画像表示手段１４および右画像表示手段２４に表示することで、映像が視界いっぱいに広がった臨場感を得ることができる。
【００３０】
このとき、人の周辺の視野の解像度が低いため、左画像表示手段１４および右画像表示手段２４には主画面と同等の解像度は必要なく、左画像表示手段１４および右画像表示手段２４の表示能力を簡素化することができる。
【００３１】
また、本発明の映像表示システムを使用することを前提で作成された映像を鑑賞する際には、あらかじめ映像データに左画像表示手段１４および右画像表示手段２４で表示する映像信号を作成しておき、再生し画像制御装置３５は、該信号を中継し左画像表示手段１４および右画像表示手段２４に表示する。
【００３２】
本発明の映像表示システムを使用することを前提で作成された映像とは、撮影時に、鑑賞者の位置を設定し、鑑賞者から見える左右方向の映像も含めて製作されたものである。
【００３３】
次に、再生する映像の例として、自動車を運転中の前方視界の映像を挙げる。
【００３４】
映像装置３１は主画面として自動車のフロントガラス越しの風景が投影され、そして左画像表示手段１４および右画像表示手段２４には、自動車の左右の窓から見える風景を表示する。
【００３５】
このように左画像表示手段１４および右画像表示手段２４に実際の風景を表示することで高い臨場感を得ることができる。
【００３６】
次いで、再生する映像の第２の例として、歩行中右後方からオートバイが来て追い越してゆく映像を挙げる。
【００３７】
右画像表示手段２４の後方から前方に向かいオートバイの画像を表示し、次いで、映像装置３１にオートバイの画像を表示する。
【００３８】
人の視野角は真横よりやや後方まで広がっており、右やや後方から画像が連続して前方へ移動し、次いで映像装置３１に写しだされることで、実際に鑑賞者の横をオートバイが通過したような臨場感を得ることができる。
【００３９】
以上のとおり、本発明の本実施形態によれば、小規模な装置で高い臨場感を得ることができる。
【符号の説明】
【００４０】
１  頭部支持フレーム
１２  耳部切欠き
１３  左画像表示手段支持部
１４  左画像表示手段
２３  右画像表示手段支持部
２４  右画像表示手段
３１  映像装置
３２  再生装置
３３  接続ケーブル１
３４  接続ケーブル２
３５  画像制御装置
４１  右目視野
４２  左目視野
【図１】
2011041073.tif 000003
【図２】
2011041073.tif 000004
【図３】
2011041073.tif 000005
【図４】
2011041073.tif 000006